(57)【要約】    【課題】他の電子機器へと導くための伝送線が接続される接続端子を、雨水等の水滴の影響から保護して腐食の発生を防止する。    【解決手段】下ケース１０により壁Ｋに取り付けて屋外で使用されるインターホン玄関子機１に室内機器と伝送線Ｌが接続される即結端子１１を設け、即結端子１１に接続された伝送線Ｌを即結端子１１よりも下方に延在させて室内機器へ導くための撓曲性の側壁１２ａを有する端子防雨蓋１２を取り付け、下ケース１０には、端子防雨蓋１２を取り付ける取付部１３に左右対称に、取り付け方向に傾斜した斜面１４ａおよび斜面１４ａから取り付け方向に実質的に直交して延びる係止面１４ｂからなる嵌合片１４をそれぞれ一対設け、端子防雨蓋１２の側壁１２ａには、嵌合片１４を嵌め合わせるための嵌合凹部１２ｂを設ける。    【選択図】図１
2005159892.tif 000002
【特許請求の範囲】
【請求項１】
ケース（１０）により壁（Ｋ）に取り付けて屋外で使用されるインターホン玄関子機（１）に室内機器（２、３）と伝送線（Ｌ）が接続される接続端子（１１）を設け、前記接続端子に接続された前記伝送線を前記接続端子よりも下方に延在させて前記室内機器へ導くための撓曲性の側壁（１２ａ）を有する端子防雨蓋（１２）を取り付け、
前記ケースには、前記端子防雨蓋を取り付ける取付部（１３）に左右対称に、取り付け方向に傾斜した斜面（１４ａ）および前記斜面から取り付け方向に実質的に直交して延びる係止面（１４ｂ）からなる嵌合片（１４）をそれぞれ一対設け、
前記端子防雨蓋の側壁には、前記嵌合片を嵌め合わせるための嵌合凹部（１２ｂ）を設けることにより前記ケースに前記端子防雨蓋を取り付ける際には、前記端子防雨蓋を押圧させ前記嵌合片の前記斜面と接することで前記側壁が外側に撓んで取り付けを容易にし、前記伝送線が引っ張り上げられた場合には、前記側壁が内側に撓んで前記嵌合片の前記係止面で係止されて取り外しを防止することを特徴とするインターホンの端子防雨構造。
【請求項２】
前記端子防雨蓋には、前記側壁の一部に切欠（１２ｃ）を設け、前記切欠に工具を差し込み前記側壁を外側方向に撓ませることにより前記端子防雨蓋を取り外し可能としたことを特徴とする請求項１記載のインターホンの端子防雨構造。
【請求項３】
前記嵌合凹部の一部を形成する側壁片（１２ｄ）は、取り外し方向に傾斜した斜面（１２ｅ）を有し、前記切欠に工具を差し込んで前記側壁を外側方向に撓ませて前記端子防雨蓋を外すのを容易にすることを特徴とする請求項２記載のインターホンの端子防雨構造。
【発明の詳細な説明】
【技術分野】
【０００１】
本発明はインターホンの端子防雨構造に係り、特に他の電子機器へと導くための伝送線が接続される接続端子の防水に配慮したインターホンの端子防雨構造に関する。
【背景技術】
【０００２】
従来から、この種のインターホンの端子防雨構造として、加入者線を壁に這わせて設置するような露出配線を必要とし、施工しやすい露出型インターホン構造が開示されている（例えば特許文献１）。
【０００３】
この露出型インターホン構造は、インターホン本体と、このインターホン本体を設置壁面に取付保持するための壁掛け用アダプターユニットとを有し、設置壁面に這設された加入者線を端子基板ユニットに実装させた即結端子へと接続するために、設置壁面の表面側に取り付けた壁掛け用アダプタユニットに穿設した抜き孔に加入者線を挿通させ、この加入者線を端子基板ケースに設けられている端子基板ユニットに実装させた即結端子へと接続する手段（以下、第１の接続手段という。）、または壁掛け用アダプタユニットの設置壁面に対する表側面に取り付けた端子基板ケースに設けられている端子基板ユニットに実装させた即結端子へと設置壁面に這設された加入者線を接続する手段（以下、第２の接続手段という。）が適用されている。
【０００４】
このような露出型インターホン構造によれば、他の電子機器（図示せず）へと配線される加入者線を即結端子に接続した後でも、即結端子を支持する端子基板ユニットがインターホン本体に対してスライド可能とし、また、インターホン本体側配線付コネクタと加入者線とは、壁掛け用アダプターユニット側の接続端子と即結端子にそれぞれ個別に接続させるようにしたために、インターホン本体を壁掛け用アダプターユニットに取り付けるに際し、加入者線を無理によじったり左右に動かしたりすることなく、施工時取り付け作業を可能とすることができる。
【０００５】
【特許文献１】特開平９−３２１８５０号公報（段落番号０００１、段落番号０００５、段落番号００２４、第１図、第２図）
【発明の開示】
【発明が解決しようとする課題】
【０００６】
背景技術に記載した特許文献１に開示された露出型インターホン構造は、第１の接続手段では、設置壁面に対向した方向に速結端子が実装されているため、この即結端子へと加入者線を接続すると、雨水等が加入者線を伝ってきたときに即結端子へと水滴が浸入し、即結端子が腐食する虞があった。
【０００７】
また、第２の接続手段では、設置壁面に対して平行の位置に即結端子が実装され接続口が上方向に向いているため、この即結端子へと加入者線を接続すると、上述の第１の接続手段と同様、雨水等が加入者線を伝ってきたときに即結端子へと水滴が浸入し、即結端子が腐食する虞があった。
【０００８】
そこで本発明の目的は、他の電子機器へと導くための伝送線が接続される接続端子を、端子防雨蓋によって雨水等の水滴の影響から保護して腐食の発生を防止させたインターホンの端子防雨構造を提供することにある。
【課題を解決するための手段】
【０００９】
本発明の第１の態様であるインターホンの端子防雨構造は、ケースにより壁に取り付けて屋外で使用されるインターホン玄関子機に室内機器と伝送線が接続される接続端子を設け、接続端子に接続された伝送線を接続端子よりも下方に延在させて室内機器へ導くための撓曲性の側壁を有する端子防雨蓋を取り付け、ケースには、端子防雨蓋を取り付ける取付部に左右対称に、取り付け方向に傾斜した斜面および斜面から取り付け方向に実質的に直交して延びる係止面からなる嵌合片をそれぞれ一対設け、端子防雨蓋の側壁には、嵌合片を嵌め合わせるための嵌合凹部を設けることによりケースに端子防雨蓋を取り付ける際には、端子防雨蓋を押圧させ嵌合片の斜面と接することで側壁が外側に撓んで取り付けを容易にし、伝送線が引っ張り上げられた場合には、側壁が内側に撓んで嵌合片の係止面で係止されて取り外しを防止するものである。
【００１０】
本発明の第２の態様は本発明の第１の態様であるインターホンの端子防雨構造において、端子防雨蓋には、側壁の一部に切欠を設け、切欠に工具を差し込み側壁を外側方向に撓ませることにより端子防雨蓋を取り外し可能としたものである。
【００１１】
本発明の第３の態様は本発明の第２の態様であるインターホンの端子防雨構造において、嵌合凹部の一部を形成する側壁片は、取り外し方向に傾斜した斜面を有し、切欠に工具を差し込んで側壁を外側方向に撓ませて端子防雨蓋を外すのを容易にするものである。
【発明の効果】
【００１２】
以上、説明したように、本発明のインターホンの端子防雨構造によれば、他の電子機器へと導くための伝送線が接続される接続端子を、端子防雨蓋で雨水等の水滴の影響から保護して腐食の発生を防止することができ、而もこの端子防雨蓋をケースに取り付け易くでき且つ容易にケースから外れないようにすることができる。
【発明を実施するための最良の形態】
【００１３】
以下、本発明のインターホンの端子防雨構造を実施するための最良の形態例について、図面を参照して説明する。
【００１４】
本発明を実施するための最良の一形態である端子防雨構造が適用されるインターホンは図３に示すように、玄関等の戸外に設置され居住者を呼び出すと共に通話するためのインターホン玄関子機１と、居室内に設置されインターホン玄関子機１の呼び出しに応答すると共に通話するためのインターホン親機２とから構成され伝送線Ｌによって接続されている。また、インターホン玄関子機１には例えば火災感知器３も伝送線Ｌによって接続されている。
【００１５】
インターホン玄関子機１は図１（ａ）、（ｂ）に示すように、上ケース（図示せず）および下ケース１０により構成され例えば玄関の壁Ｋに取り付け可能なボックス型に形成され、当該壁Ｋの表面側に埋め込まれた壁掛け用アダプタユニット４に下ケース１０が埋設するように固定されている。このインターホン玄関子機１には、伝送線Ｌが下ケース１０の裏面側から挿入され、この伝送線Ｌを接続（電気的に接続）するための挿入口１１１および挿入口１１１毎に割り当てられて伝送線Ｌを当該挿入口１１１に対して着脱させるためのリリースボタン１１２が実装された接続端子である即結端子１１と、即結端子１１の挿入口１１１に挿入して接続された伝送線Ｌの線処理方向を可変、例えば即結端子１１よりも下方に延在させるために下ケース１０に取り付けられる端子防雨蓋１２とが設けられている。
【００１６】
なお、下ケース１０に設けられた即結端子１１の挿入口１１１およびリリースボタン１１２の個数は、通常、伝送線Ｌの線路数と同一若しくは線路数以上とされる。
【００１７】
このような下ケース１０には図１（ａ）、（ｃ）に示すように、端子防雨蓋１２を取り付けるための取付部１３に左右対称に、端子防雨蓋１２の取り付け方向に傾斜した斜面１４ａおよび斜面１４ａから取り付け方向に実質的に直交して延びる係止面１４ｂからなる嵌合片１４が、例えばそれぞれ一対設けられている。この取付部１３は端子防雨蓋１２を嵌合可能な形状に形成され内側に即結端子１１が設けられている。
【００１８】
この下ケース１０の取付部１３に取り付け、即結端子１１に接続された伝送線Ｌを即結端子１１よりも下方に延在させてインターホン親機２や火災感知器３に導くための端子防雨蓋１２は図１（ａ）、（ｃ）、図２（ａ）、（ｂ）に示すように、撓曲性、即ち撓んで曲がるような性質の側壁１２ａを有している。この側壁１２ａは、下ケース１０の取付部１３に嵌合するように当該下ケース１０の取付部１３を側面から覆うように形成され、即結端子１１に接続された伝送線Ｌを下方に延在できるように下方は切り欠かれている。また、側壁１２ａには、下ケース１０の取付部１３に左右対称にそれぞれ一対設けられた各嵌合片１４を嵌め合わせるための嵌合凹部１２ｂが嵌合片１４の数だけ設けられている。したがって、下ケース１０に端子防雨蓋１２を取り付ける際には図４（ａ）、（ｂ）に示すように、端子防雨蓋１２を下ケース１０の取付部１３に嵌合させて端子防雨蓋１２の嵌合凹部１２ｂを取付部１３の嵌合片１４の斜面１４ａに押圧させると、端子防雨蓋１２の嵌合凹部１２ｂが設けられた方向の側壁１２ａが外側Ｂ方向に撓むので取り付けが容易になる。
【００１９】
また、端子防雨蓋１２には、側壁１２ａの一部に切欠１２ｃが設けられている。この切欠１２ｃは端子防雨蓋１２の左右対称にそれぞれ一対設けられた嵌合凹部１２ｂ、１２ｂ間に形成されてる。これにより、端子防雨蓋１２の側壁１２ａの切欠１２ｃにマイナスドライバーなどの工具を挿し込み、嵌合凹部１２ｂが設けられた方向の側壁１２を外側Ｂ方向に撓ませることができるので、端子防雨蓋１２が取り外し可能となる。
【００２０】
さらに、図４（ａ）、（ｂ）に示すように、端子防雨蓋１２の側壁１２ａに設けられた嵌合凹部１２ｂは先端部に鉤形状や山型形状に形成された側壁片１２ｄを有し、この嵌合凹部１２ｂの一部を形成する側壁片１２ｄは、取り外し方向に傾斜した内側斜面１２ｅを有している。即ち、端子防雨蓋１２の側壁１２ａの切欠１２ｃにマイナスドライバーなどの工具を挿し込んで、嵌合凹部１２ｂが設けられた方向の側壁１２ａを外側Ｂ方向に撓ませると、側壁片１２ｄの内側斜面１２ｅは下ケース１０の嵌合片１４の係止面１４ｂに対して容易に外れるようにさらに傾斜することになるので、端子防雨蓋１２を下ケース１０から取り外すのが容易になる。また、端子防雨蓋１２の嵌合凹部１２ｂの一部を形成する側壁片１２ｄの外側斜面１２ｆと、下ケース１０に設けられた嵌合片１４の斜面１４ａとは、端子防雨蓋１２を下ケース１０の取付部１３に嵌め込んでいくと、端子防雨蓋１２の嵌合凹部１２ｂが設けられた方向の側壁１２ａが徐々に外側Ｂ方向に弾性変形させることができるように形成されている。なお、端子防雨蓋１２の嵌合凹部１２ｂの一部を形成する側壁片１２ｄの内側斜面１２ｅは、端子防雨蓋１２が下ケース１０の取付部１３に嵌合すると同時若しくはその少し前に端子防雨蓋１２の側壁片１２ｄの外側斜面１２ｆが下ケース１０に設けられた嵌合片１４の斜面１４ａから離脱すると、下ケース１０に設けられた嵌合片１４の係止面１４ｂに係止可能な傾斜で形成されている。
【００２１】
このような端子防雨構造を具備するインターホンにおいて、下ケース１０に端子防雨蓋１２を取り付けるには、端子防雨蓋１２を下ケース１０の取付部１３に嵌合させる。この際、端子防雨蓋１２を下ケース１０の取付部１３に嵌め込んでいくと、端子防雨蓋１２の嵌合凹部１２ｂが形成された方向の側壁１２ａが下ケース１０の取付部１３に設けられた嵌合片１４によって徐々に外側Ｂ方向に弾性変形し、その後、端子防雨蓋１２が下ケース１０の取付部１３に嵌合すると同時若しくはその少し前に端子防雨蓋１２の嵌合凹部１２ｂの一部を形成する側壁片１２ｄは、下ケース１０の取付部１３に設けられた嵌合片１４から離脱することから、端子防雨蓋１２の嵌合凹部１２ｂが形成された方向の側壁１２ａの弾性変形は解消され元の形状に戻るので、端子防雨蓋１２の嵌合凹部１２ｂと下ケース１０の取付部１３に設けられた嵌合片１４とは簡単には外れないように係合される。したがって、端子防雨蓋１２の下ケース１０の取付部１３への取り付けが容易になる。
【００２２】
また、下ケース１０の即結端子１１に接続された伝送線ＬがＸ方向（図１（ｂ））に引っ張り上げられた場合には、端子防雨蓋１２の嵌合凹部１２ｂが設けられた方向の側壁１２ａが内側Ｃ方向に撓むことから、端子防雨蓋１２の側壁片１２ｄが取付部１３の嵌合片１４の係止面１４ｂで係止させることができる。これにより、端子防雨蓋１２が下ケース１０から外れてしまう不具合を防止することができる。
【００２３】
一方、端子防雨蓋１２を下ケース１０から取り外すには、端子防雨蓋１２の側壁１２ａの切欠１２ｃにマイナスドライバーなどの工具を挿し込んで、嵌合凹部１２ｂが設けられた方向の側壁１２ａを外側Ｂ方向に撓ませて、側壁片１２ｄの内側斜面１２ｅを下ケース１０の取付部１３に設けられた嵌合片１４の係止面１４ｂに対して容易に外れるようにさらに傾斜させることができる。これにより、端子防雨蓋１２を下ケース１０から容易に取り外すことができる。
【００２４】
このような端子防雨構造を具備するインターホンによれば、下ケース１０の即結端子１１に接続される伝送線Ｌを、下ケース１０に取り付けられた端子防雨蓋１２によって即結端子１１よりも下方に延在させて外部の電子機器であるインターホン親機２や火災感知器３へと導くことができるので、伝送線Ｌを伝わってきた雨水等は、即結端子１１へと浸入せず水滴の自重により下方へと落下させることができる。これにより、下ケース１０の即結端子１１が水滴の影響を受けずに保護され腐食の発生を防止できる。
【００２５】
なお、上述した本発明の最良の実施の一形態においては、下ケース１０の取付部１３に左右対称にそれぞれ一対の嵌合片１４を設けていたが、これに限らず、端子防雨蓋１２と下ケース１０との嵌合状態に応じてそれ以上の数量で設けてもよく、この数量に応じて端子防雨蓋１２の嵌合凹部１２ｂも設ける。
【図面の簡単な説明】
【００２６】
【図１】本発明のインターホンの端子防雨構造による最良な実施の一形態を示す図で、（ａ）はケースの平面図、（ｂ）は壁掛け用アダプタユニットと端子防雨蓋とを断面として表わしたケースの側面図、（ｃ）は（ａ）のＡ−Ａ断面における部分拡大図。
【図２】本発明のインターホンの端子防雨構造の主構成要素である端子防雨蓋を示す説明図で、（ａ）は表側を表す斜視図、（ｂ）は裏側を表す斜視図。
【図３】本発明の端子防雨構造が適用されるインターホンシステムの全体構成を示す説明図。
【図４】本発明のインターホンの端子防雨構造の主構成要素である端子防雨蓋とケースの取付部との関係を示す図で、（ａ）は端子防雨蓋をケースの取付部に取り付ける状態の説明図、（ｂ）は端子防雨蓋をケースの取付部に取り付けた状態の説明図。
【符号の説明】
【００２７】
１……インターホン玄関子機
２……インターホン親機（室内機器）
３……火災感知器（室内機器）
１０……下ケース
１３……取付部
１４……嵌合片
１４ａ……斜面
１４ｂ……係止面
１１……即結端子（接続端子）
１２……端子防雨蓋
１２ａ……側壁
１２ｂ……嵌合凹部
１２ｄ……側壁片
１２ｅ……内側斜面
１２ｃ……切欠
Ｋ……壁
Ｌ……伝送線
【図１】
2005159892.tif 000003
【図２】
2005159892.tif 000004
【図３】
2005159892.tif 000005
【図４】
2005159892.tif 000006